(57)【特許請求の範囲】
【請求項１】
梱包箱に電子機器及びこれに付属する関連品が収納される電子機器用包装体において、
前記電子機器及びこれに付属する関連品を保持する単独の材質からなる緩衝材を前記梱包箱内に載置して設け、
前記梱包箱の内外へ出し入れ可能な緩衝材は、相対向して配置された一対の側面板と、
前記一対の側面板の下部を一体に連結する底面板と、
前記底面板の両端部から前記梱包箱の側壁面に向かって延出された鍔部と、を備え、
前記電子機器を前記一対の側面板の間に挟み込み、且つ前記底面板に載置して保持し、
前記電子機器に付属する関連品を前記側面板と前記梱包箱の内壁面との間に挟み込むと共に前記鍔部に載置して保持することを特徴とする電子機器用包装体。
【請求項２】
前記緩衝材は板状の段ボール材のみを折り曲げ加工して形成されたものであることを特徴とする請求項１に記載の電子機器用包装体。
【請求項３】
前記一対の側面板の一方の端部を折り曲げて天頂部を形成し、更に天頂部から一体的に形成される折曲片を設け、前記天頂部によって前記一対の側面板に挟まれて収納される電子機器の上方を覆うと共に、前記折曲片によって前記一対の側面板の他方の端部を覆うよう構成することを特徴とする請求項２記載の電子機器用包装体。
【請求項４】
前記天頂部の一部に切込を形成し、前記一対の側面板の一方、及び前記折曲片の各々にリブを一体的に形成し、前記梱包箱のフラップが閉じられた状態において、前記フラップの内側によって前記リブが下方に押圧することで、前記緩衝材の天頂部を閉塞することを特徴とする請求項３記載の電子機器用包装体。
【請求項５】
前記緩衝材の底面部に切込を形成することで、前記緩衝材の下方にリブを形成することを特徴とする請求項３又は４記載の電子機器用包装体。
【請求項６】
前記梱包箱は段ボール箱であり前記緩衝材と同材質の紙製であることを特徴とする請求項１乃至５の何れか一項に記載の電子機器用包装体。
【請求項７】
前記一対の側面板の何れか一方の上方に把手用孔部を形成したことを特徴とする請求項１乃至６の何れか一項に記載の電子機器用包装体。
【発明の詳細な説明】
【技術分野】
【０００１】
本発明は、タブレット端末等の電子機器を収納する電子機器用包装体に関する。
【背景技術】
【０００２】
精密機械である電子機器の運搬に際し、衝撃を吸収して電子機器に傷や故障が生じることを防止し、また、積み上げを容易にし効率よく搬送可能とすることを目的として、段ボール箱等の梱包箱で梱包することが従来から行われている。タブレット端末やノートパソコンは多種多様な商品があり、包装の多くは、段ボール箱内に収納された商品を保護するため、発泡スチロールなどの緩衝材を内装として構成し、さらに、商品自体をポリエチレン等の材料を使用した袋で密封し内装としたりすることが周知とされている。
【０００３】
上記従来技術に関連するものとして、例えば、特許文献１には、電子機器の左右端部をパルプモールドの緩衝材にて覆い、梱包箱へ収納する方法が開示されている。また、特許文献２には、ベースボード上に電子機器を載せ、抑えシートによってベースボードに電子機器を押さえつけるように覆う構成が開示されている。特許文献３では、緩衝材等を内装として用いた従来の包装体で、梱包箱とは素材が同じ緩衝材が用いられ、形状が異なる構成が開示されている。特許文献４では、段ボールの蓋板の差込みロックが開示されている。
【先行技術文献】
【特許文献】
【０００４】
【特許文献１】特開２００９−０３５２６９号公報
【特許文献２】特開２０１１−１１１２０５号公報
【特許文献３】特開２０１２−９１８５２号公報
【特許文献４】特開２０１２−１７１６７０
【発明の概要】
【発明が解決しようとする課題】
【０００５】
しかしながら、上記特許文献１のような、緩衝材等を内装として用いた従来の包装体の構成では、梱包箱とは素材が異なる緩衝材が用いられていたり、或いは、緩衝材が複数素材から構成されているとなると、電子機器を梱包箱から取り出した後に、不要となり得る内装について、素材の種類に応じて分別して廃棄を行う必要があり、煩わしい手間がかかってしまうといった問題がある。また、特許文献２の構成では、電子機器に付随するキーボードやＡＣアダプタ、マウス、取扱説明書、電子機器を収納するケース等の関連品を収納するスペースが確保されてはなく、これらを別途梱包する必要があるため、収納に不便をきたすといった問題があった。特許文献３の構成では、緩衝材等を内装として用いた従来の包装体で、梱包箱とは素材が同じ緩衝材が用いられているが、緩衝材の形状が複数個から構成されているとなると、電子機器の梱包箱からの取り出しに、煩わしい手間がかかってしまうといった問題がある。特許文献４の差込みロック式の構成では、段ボール箱内においての、緩衝材の組立は、かなり難しいことは周知の事実である
【０００６】
ところで、タブレット端末やノートパソコン等の電子機器には、前述したような、キーボードやＡＣアダプタ、マウス、取扱説明書、ケース等の関連品が付属されている。そこで、メーカ出荷時には、ソフトのインストールや付属品の確認等のキッテイング作業が行われるのは周知のことであり、その際には、電子機器、付属品等を梱包箱から頻繁に出しいれを必要とされる。また、梱包箱からの電子機器のみの出し入れもあり、この場合いったん緩衝材と電子機器を梱包箱から出して、緩衝材を外す等の作業が必要であり梱包箱からそのまま出してそのまま使用できないため作業効率が悪い。さらに、電子機器を購入した消費者に対し提供する場合には、電子機器と共に関連品も梱包箱に収納した包装体を提供することになるわけであるが、消費者に対し梱包箱に電子機器等を収納した包装体を渡す以前に、電子機器や付属品の確認、電子機器に格納されているプログラムの更新を必要としたり、プログラムの更新に伴う説明文の記載された書面を取扱説明書の冊子内に入れ込むとなると、梱包箱に収納された電子機器や取扱説明書を梱包箱から取り出さなければならず、煩雑な作業をいかに効率良くできるようにするかが課題となっていた。
【０００７】
本発明は、上記電子機器、付属品の取り出し収納における課題に鑑みてなされたものであり、段ボール箱等の梱包箱に電子機器及びこれに付属する関連品が収納される電子機器用包装体において、梱包箱に収納されている電子機器とこれに付随する関連品とを、一度にまとめて取り出せるようにすることで取り出し作業効率を向上させた電子機器用包装体を提供することをその目的とする。
【０００８】
さらに、本発明は、上記電子機器のみの取り出し収納における課題に鑑みてなされたものであり、段ボール箱等の梱包箱の内部に収納される電子機器に周辺に配置されている緩衝材を取り出すことなく、梱包箱から電子機器が容易に取り出せる蓋構造で、しかも電子機器を完全に固定でき、衝撃振動から守る、相反する構造をもち取り出し収納作業効率を向上させた電子機器用包装体を提供することをその目的とする。
【課題を解決するための手段】
【０００９】
本発明の電子機器用包装体は、梱包箱に電子機器及びこれに付属する関連品が収納される電子機器用包装体において、前記電子機器及びこれに付属する関連品を保持する単独の材質からなる緩衝材を前記梱包箱内に載置して設け、前記梱包箱の内外へ出し入れ可能な緩衝材は、相対向して配置された一対の側面板と、前記一対の側面板の下部を一体に連結する底面板と、前記底面板の両端部から前記梱包箱の側壁面に向かって延出された鍔部と、を備え、前記電子機器を前記一対の側面板の間に挟み込み、且つ前記底面板に載置して保持し、前記電子機器に付属する関連品を前記側面板と前記梱包箱の内壁面との間に挟み込むと共に前記鍔部に載置して保持することを特徴とする。
【００１０】
また、本発明の電子機器用包装体は、前記緩衝材は板状の段ボール材のみを折り曲げ加工して形成されたものであることを特徴とする。
【００１１】
更に、本発明の電子機器用包装体は、前記一対の側面板の一方の端部を折り曲げて天頂部を形成し、更に天頂部から一体的に形成される折曲片を設け、前記天頂部によって前記一対の側面板に挟まれて収納される電子機器の上方を覆うと共に、前記折曲片によって前記一対の側面板の他方の端部を覆うよう構成することを特徴とする。
【００１２】
また、本発明の電子機器用包装体は、前記天頂部の一部に切込を形成し、前記一対の側面板の一方、及び前記折曲片の各々にリブを一体的に形成し、前記梱包箱のフラップが閉じられた状態において、前記フラップの内側によって前記リブが下方に押圧することで、前記緩衝材の天頂部を閉塞することを特徴とする。
【００１３】
更に、本発明の電子機器用包装体は、前記緩衝材の底面部に切込を形成することで、前記緩衝材の下方にリブを形成することを特徴とする。
【００１４】
また、本発明の電子機器用包装体は、前記梱包箱は段ボール箱であり前記緩衝材と同材質の紙製であることを特徴とする。
【００１５】
更に、本発明の電子機器用包装体は、前記一対の側面板の何れか一方の上方に把手用孔部を形成したことを特徴とする。
【発明の効果】
【００１６】
本発明によれば、段ボール箱等の梱包箱から、把手用孔部を握り緩衝材を取り出すのに伴い、電子機器のほかこれに付属する関連品を梱包箱の外に同時に取り出すことができるため、煩雑な取り出し作業を短時間で効果的に行うことが可能となり、ひいては、作業効率の向上に伴う低コスト化を図ることが可能となる。
【００１７】
また、天頂部は単純に上から覆いかぶせる構造とすることで、天頂部の開閉を容易且つ迅速に行うことができ、タブレット端末等の電子機器を包装した状態のまま端子接続部を露出させることができ、この構成により、ファームウェアのアップデート等、種々の電子機器を接続する必要がある場合であっても、電子機器そのものを段ボール箱から取り出し緩衝材を取り外す必要が無く、作業性が向上する。
【００１８】
さらに、梱包箱に収納される緩衝材が、複合材ではなく単独材質からなら紙製の段ボール材で形成され、さらに梱包箱も同様の材質で形成されていることから、箱体から電子機器を取り出し後に不要となり得る緩衝材や、該緩衝材と同材質の箱体の廃棄処分を容易に行うことができる。
【図面の簡単な説明】
【００１９】
【図１】本発明の実施例における、電子機器用包装体に収納される緩衝材を示す斜視図であり、（ａ）は緩衝材を正面側から視た状態を示す斜視図、（ｂ）緩衝材を背面側から視た状態を示す斜視図である。
【図２】同上、電子機器用包装体に収納される緩衝材の展開図である。
【図３】同上、緩衝材のストッパー部とリブを示す要部拡大斜視図である。
【図４】同上、（ａ）は段ボール箱に、緩衝材、電子機器等を収納する前の状態を示す斜視図、（ｂ）は段ボール箱に、緩衝、電子機器等を収納した状態を示す電子機器用包装体の斜視図である。
【図５】同上、緩衝材を介して電子機器を収納した状態の電子機器用包装体を示す斜視図である。
【図６】同上、図５におけるＡ−Ａ線の断面図である。
【発明を実施するための形態】
【００２０】
本発明を実施するための形態を以下に説明する。もちろん、本発明は、その発明の趣旨に反しない範囲で、本実施形態において説明した以外の構成のものに対しても容易に適用可能なことは説明を要するまでもない。
【００２１】
本実施例における電子機器用包装体について、図１乃至図６に基づいて説明する。図５に示すように、電子機器用包装体１０は、紙製の梱包箱たる段ボール箱７０、該段ボール箱７０の内部に収納される、段ボール材のみを折り曲げ加工して形成された緩衝材１、電子機器であるタブレット端末２０、タブレット端末２０に付属する関連品であるキーボード３０、ケース４０、ＡＣアダプタ５０、マウス６０などから構成される。
【００２２】
緩衝材１の構成について、図１及び図２に基づいて説明する。図１に示す緩衝材１は、相対向して配置された第一の側面板１ａと第二の側面板１ｂとを備え、第一の側面板１ａと第二の側面板１ｂにてタブレット端末等の電子機器を挟みこむように保持するものである。図２は緩衝材１の展開図である。展開図において、実線（外形の実線を除く）は切込であり、点線は山折り、一点鎖線は谷折りによる折り曲げ部を示している。
【００２３】
第一の側面板１ａ及び第二の側面板１ｂの側方の端部は各々に位置決め用の支持板２が折り曲げて形成されている。第一の側面板１ａと第二の側面板１ｂは、図２に示す底面板３にて一体的に連結している。底面板３と同一平面となるよう、切込によって鍔部３ａが形成される。第一の側面板１ａの上方を折り曲げることによって天頂部４を形成し、更に端部を折り曲げて第二の側面板１ｂの上方に覆うように折曲片４ａが形成される。第一の側面板１ａにおける、天頂部４との間の折り曲げ部近傍には、把手用孔部１ｃが形成される。５は、第一の側面板１ａと天頂部４に形成されるストッパー部であり、第一の側面板１ａが第二の側面板１ｂから離間しないようにするためのものである。支持板２は緩衝材１が段ボール箱７０内で動き回らないように固定することを目的とするものであり、その高さ方向（図１や図６における上下方向）の寸法は、段ボール箱７０の深さと略同寸となる。また、１ｄは仕切板であり後述のマウスを収納するスペースを形成するためのものである。
【００２４】
続いて、ストッパー部５について図３に基づいて説明する。ストッパー部５は第一の側面板１ａに切込がなされており、これを内側に折り曲げることによって、一部を段状として形成される。ストッパー部５のこの段状の形態によって第一の側面板１ａ側から第二の側面板１ｂ側に圧力を加えることができる。この圧力によって第二の側面板１ｂを、ストッパー部５と折曲片４ａにて挟持することができる。他のストッパー部も同様に折り曲げることで、第一の側面板１ａと第二の側面板１ｂが離間しないように固定することができる。尚、ストッパー５ａは後述のＡＣアダプタ５０等を収納するスペースにも利用することができる。
【００２５】
緩衝材１の上下にはリブが形成される。底面部３に切込を入れることでリブ６が、天頂部４に切込を入れることでリブ６ａ及びリブ６ｃが、第二の側面板の自由端にリブ６ｂが各々設けられる。リブ６は緩衝材１の下方に第一の側面板１ａ及び第二の側面板１ｂと一体的に延設される。また、リブ６ａは第一の側面板１ａから上方に延設するよう一体的に形成され、同様にリブ６ｂは第二の側面板１ｂから上方に延設するよう一体的に形成される。また、リブ６ｃは折曲片４ａから上方に延設するよう一体的に形成される。尚、上下に突出した各リブの寸法は支持板２の上下の寸法と同寸となるよう形成される。即ち、段ボール箱７０の深さと略同寸となる。また、リブ６ｂ及びリブ６ｃは、折曲片４ａを折り曲げた際、図３に示すようにリブ６ｂ及びリブ６ｃが重なってその端部が一致するよう形成されることが望ましい。
【００２６】
また、図２に示すように、第一の側面板１ａ及び第二の側面板１ｂにおいて、対向するリブ６をカギ型に切り込んで形成することで、その幅方向の寸法を大きくとることができ強度の確保が可能となる。リブ６ａ及びリブ６ｃに関しても同様に形成する。
【００２７】
上記のような構成の緩衝材１に電子機器を収納する態様を、図４及び図５に基づいて説明する。図４（ａ）に示される、緩衝材１、タブレット端末２０、キーボード３０、タブレット端末用のケース４０、タブレット端末用のＡＣアダプタ５０及びマウス６０を、緩衝材１に対して配置して、段ボール箱７０内に収納すると、図４（ｂ）、図５に示すように、タブレット端末２０は、第一の側面板１ａ、第二の側面板１ｂ及び底面板３によって囲まれ、ストッパー部５によって位置決めがなされる。また、リブ６ａ及びリブ６ｃを形成することで天頂部４に形成された孔部４ｂに、第二の側面板１ｂから延設されるリブ６ｂを挿通させるように折曲片４ａを第二の側面板１ｂに覆いかぶせる。そして、第一の側面板１ａの外側にはケース４０が、第二の側面板１ｂの外側にはキーボード３０が配置され、また、第二の側面板１ｂの下方のストッパー部５ａにはＡＣアダプタ５０が収納され、位置決め用の支持板２と第一の側面板１ａに一体に形成された仕切板１ｄとの間にはこれらに挟まれるようにしてマウス６０が配置される。
【００２８】
このようにタブレット端末２０、タブレット端末２０に付属する関連品、及び緩衝材１は、図５に示すように段ボール箱７０に収納され、当該段ボール箱７０の上部に形成されたフラップ７０ａを閉じて包装される。このとき、緩衝材１の上方に設けられたリブ６ａ、６ｂ及び６ｃが段ボール箱７０のフラップ７０ａと当接する。この構成によってフラップ７０ａが閉じられた状態において、フラップ７０ａの内側によってリブ６ａ〜６ｃが下方に押圧され、段ボール箱にタブレット端末２０が収納された状態において天頂部４が開放されることがなくなる。更に緩衝材１の下方に設けられたリブ６が段ボール箱７０の底面と当接する。即ち、タブレット端末２０を緩衝材１の中で移動することなく保持することができ、更にタブレット端末２０の上下に段ボール箱７０の底面やフラップ７０ａから適宜空間を形成することができる。また、支持板２が段ボール箱７０の側部内壁に当接することで、緩衝材１を段ボール箱７０の内部にて移動することなく保持することができ、タブレット端末２０を段ボール箱７０の中央に位置決めすることができる。これによって外部から衝撃が加わった場合であっても、緩衝材１によって段ボール箱７０とタブレット端末２０との間に適正な空間を保もつことができ、落下等の衝撃が直接タブレット端末２０に伝達する防止し、タブレット端末２０を保護することが可能となる。
【００２９】
図６は、図５におけるＡ−Ａ線における電子機器用包装体１０の断面図を示している。図６に示すように、底面板３の上にタブレット端末２０が載置され、第一の側面板１ａと第二の側面板１ｂとに挟まれて保持される。また、キーボード３０やケース４０は鍔部３ａに載置され、各々側面板１ａ，１ｂと段ボール箱７０の内壁面にて挟まれて保持される。このように収納されたタブレット端末２０を段ボール箱７０から取り出す際は、緩衝材１の把手用孔部１ｃに手をかけて上方に引き上げることで、タブレット端末２０のほかこれに付属する関連品を段ボール箱７０から同時に取り出すことができる。すなわち、その際、タブレット端末２０だけではなく、例えば、鍔部３ａによってキーボード３０及びケース４０が、緩衝材１と共に段ボール箱７０の上方へ移動され、これらを同時に容易に取り出すことが可能となる。
【００３０】
また、タブレット端末２０の端子接続部２０ａを天頂部４側に向くようにして収納することで、段ボール箱７０に包装した状態からフラップ７０ａ及び天頂部４を開くだけで容易に端子接続部２０ａを露出させることができる。この構成により、ファームウェアのアップデート等、タブレット端末２０と種々の電子機器を接続する必要がある場合であっても、タブレット端末２０そのものを段ボール箱７０から取り出し緩衝材１を取り外す必要が無く、作業性が向上する。
【００３１】
以上、本発明の実施例について詳述したが、本発明は前記実施例に限定されるものではなく、本発明の要旨の範囲内で種々の変形実施が可能である。例えば、ストッパー５及び５ａの数を３つとして示したが、これに限定せず、適宜数を増減させ、またストッパー５及び５ａの位置を変更したとしても問題ない。また、電子機器用包装体１０に収納する電子機器をタブレット端末２０としたが、ノートパソコン等であっても良いし、キーボード３０やケース４０、その他種々の部材は必要に応じて収納するか否かを選択すればよい。
【符号の説明】
【００３２】
１    緩衝材
１ａ  第一の側面板
１ｂ  第二の側面板
１ｃ  把手用孔部
１ｄ  仕切り板
２    支持板
３    底面板
３ａ  鍔部
４    天頂部
４ａ  折曲片
５    ストッパー部
５ａ  電源収納部兼ストッパー部
６、６ａ、６ｂ、６ｃ  リブ
１０  電子機器用包装体
７０  段ボール箱
７０ａ  フラップ
【要約】      （修正有）【課題】梱包箱に収納されている電子機器とこれに付随する関連品とを、一度にまとめて取り出せることができ、且つ、梱包箱を開けただけで電子機器を取り出せることが可能な電子機器用包装体を提供する。【解決手段】底面板３から起立方向に折り曲げられる第一の側面板１ａ及び第二の側面板１ｂから構成され、底面板３からは底面板３と同一平面となるよう形成された鍔部が形成される。第一の側面板１ａには把手用孔部が形成され、段ボール箱に収納されたタブレット端末２０を取り出す際、把手用孔部に手をかけて引き上げ緩衝材１を段ボール箱から取り出すことにより、タブレット端末２０のほかこれに付属するキーボード３０やケース４０を同時に段ボール箱から取り出すことができる。さらにタブレット端末２０のみの出し入れの場合は、天頂部４を梱包箱内で９０度曲げるだけで取り出しができる。【選択図】図４【図１】
0005426042.tif 000002
【図２】
0005426042.tif 000003
【図３】
0005426042.tif 000004
【図４】
0005426042.tif 000005
【図５】
0005426042.tif 000006
【図６】
0005426042.tif 000007